(57)【要約】【課題】  凍上現象による圧力を壁面パネルに作用させないようにすることができ、作業効率よく擁壁を構築することのできる擁壁構築方法を提供する。【解決手段】  積み重ねる最上段の壁面パネル２１の裏面の上端から下端までの領域に、裏側緩衝材５１を設け、壁面パネル２１の裏面と裏側緩衝材５１との間に、裏側緩衝材５１に一体的に設けたスペーサを配置して壁面パネル２１の裏面と裏側緩衝材５１との間に流路溝５３を設ける。【選択図】    図４
2006249718.tif 000002
【特許請求の範囲】
【請求項１】
左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、
積み重ねる最上段の前記パネルの裏面の上端から下側へ少なくとも３０ｃｍ以上の領域に、緩衝材を設け、
前記パネルの裏面と前記緩衝材との間にスペーサを配置して前記パネルの裏面と前記緩衝材との間に隙間を設ける、
ことを特徴とする擁壁構築方法。
【請求項２】
左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、
積み重ねる最上段の前記パネルの裏面の上端から下端までの領域に、緩衝材を設け、
前記パネルの裏面と前記緩衝材との間にスペーサを配置して前記パネルの裏面と前記緩衝材との間に隙間を設ける、
ことを特徴とする擁壁構築方法。
【請求項３】
請求項１または請求項２に記載の擁壁構築方法において、
前記スペーサは前記パネルまたは前記緩衝材に設けた突出部である、
ことを特徴とする擁壁構築方法。
【請求項４】
請求項１から請求項３のいずれか１項に記載の擁壁構築方法において、
前記緩衝材に複数の排水貫通孔を設けた、
ことを特徴とする擁壁構築方法。
【請求項５】
請求項１から請求項４のいずれか１項に記載の擁壁構築方法において、
前記パネルの目地に平行する排水スリットを前記緩衝材に設けた、
ことを特徴とする擁壁構築方法。
【請求項６】
左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、
積み重ねる最上段の前記パネルの裏面の上端から下側へ少なくとも３０ｃｍ以上の領域に、受圧材を設け、
前記パネルの裏面と前記受圧材との間に、緩衝機能を有するスペーサを配置して前記パネルの裏面と前記受圧材との間に隙間を設ける、
ことを特徴とする擁壁構築方法。
【請求項７】
左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、
積み重ねる最上段の前記パネルの裏面の上端から下端までの領域に、受圧材を設け、
前記パネルの裏面と前記受圧材との間に、緩衝機能を有するスペーサを配置して前記パネルの裏面と前記受圧材との間に隙間を設ける、
ことを特徴とする擁壁構築方法。
【請求項８】
請求項６または請求項７に記載の擁壁構築方法において、
前記スペーサを前記パネルまたは前記受圧材に設けた、
ことを特徴とする擁壁構築方法。
【請求項９】
請求項６から請求項８のいずれか１項に記載の擁壁構築方法において、
前記受圧材に複数の排水貫通孔を設けた、
ことを特徴とする擁壁構築方法。
【請求項１０】
請求項６から請求項９のいずれか１項に記載の擁壁構築方法において、
前記パネルの目地に平行する排水スリットを前記受圧材に設けた、
ことを特徴とする擁壁構築方法。
【発明の詳細な説明】
【技術分野】
【０００１】
この発明は、左右方向へ隣接させて並べるとともに上側へ積み重ねた所定形状、例えば、一定の大きさをした横長矩形状の壁面構築用の各パネルを支持部材で後方から倒れないよう支持し、積み重ねたパネルの裏面側に充填材を充填して擁壁を構築する擁壁構築方法に関するものである。
【背景技術】
【０００２】
道路などの擁壁（壁面）を構築する場合、まず、コンクリートを打設して基礎を構築し、この基礎に所定形状、例えば、一定の大きさをした横長矩形状のパネルを左右方向へ隣接させて並べるとともに、上側へ積み重ねた各パネルを支持部材で後方から倒れないよう支持し、積み重ねたパネルの裏面側に充填材を充填するのを順次繰り返すことにより、擁壁（壁面）を構築している。
【非特許文献１】「現場の失敗  欠陥構造物を生む設計・施工の落とし穴」  日経ＢＰ社  ２００１年９月２８日発行  Ｐ１２６〜Ｐ１２９
【発明の開示】
【発明が解決しようとする課題】
【０００３】
従来の擁壁構築方法では、非特許文献１に記載されているように、盛り土などの充填材内の水分が寒さで凍結して膨張する凍上現象による圧力のため、パネルと支持部材との接続部分の鋼材が破断し、パネルが脱落することがある。
そこで、パネルの背後の充填材を砕石に置き換えることにより、砕石の隙間で凍上現象による圧力を吸収し、パネルに大きな圧力が加わるのを防止することが考えられる。
なお、パネルの裏面側の充填材は、上部から温度が低下する。
【０００４】
しかしながら、パネルの背後の充填材を砕石に置き換えることは、盛り土などの充填材の他に砕石を用意し、砕石と充填材とを交互に充填しなければならないので、充填作業が繁雑になり、作業効率の悪いものとなる。
そこで、凍上現象による圧力をパネルに作用させないようにすることができ、作業効率よく擁壁を構築することのできる擁壁構築方法が望まれている。
【０００５】
この発明は、上記した要望に応えるためになされたもので、凍上現象による圧力をパネルに作用させないようにすることができ、作業効率よく擁壁を構築することのできる擁壁構築方法を提供するものである。
【課題を解決するための手段】
【０００６】
この発明は、以下のような発明である。
（１）左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、積み重ねる最上段の前記パネルの裏面の上端から下側へ少なくとも３０ｃｍ以上の領域に、緩衝材を設け、前記パネルの裏面と前記緩衝材との間にスペーサを配置して前記パネルの裏面と前記緩衝材との間に隙間を設けることを特徴とする。
（２）左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、積み重ねる最上段の前記パネルの裏面の上端から下端までの領域に、緩衝材を設け、前記パネルの裏面と前記緩衝材との間にスペーサを配置して前記パネルの裏面と前記緩衝材との間に隙間を設けることを特徴とする。
（３）（１）または（２）に記載の擁壁構築方法において、前記スペーサは前記パネルまたは前記緩衝材に設けた突出部であることを特徴とする。
（４）（１）から（３）のいずれか１つに記載の擁壁構築方法において、前記緩衝材に複数の排水貫通孔を設けたことを特徴とする。
（５）（１）から（４）のいずれか１つに記載の擁壁構築方法において、前記パネルの目地に平行する排水スリットを前記緩衝材に設けたことを特徴とする。
（６）左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、積み重ねる最上段の前記パネルの裏面の上端から下側へ少なくとも３０ｃｍ以上の領域に、受圧材を設け、前記パネルの裏面と前記受圧材との間に、緩衝機能を有するスペーサを配置して前記パネルの裏面と前記受圧材との間に隙間を設けることを特徴とする。
（７）左右方向へ隣接させて並べるとともに上側へ積み重ねた所定形状の各パネルを支持部材で後方から倒れないように支持し、積み重ねた前記パネルの裏面側に充填材を充填して擁壁を構築する擁壁構築方法において、積み重ねる最上段の前記パネルの裏面の上端から下端までの領域に、受圧材を設け、前記パネルの裏面と前記受圧材との間に、緩衝機能を有するスペーサを配置して前記パネルの裏面と前記受圧材との間に隙間を設けることを特徴とする。
（８）（６）または（７）に記載の擁壁構築方法において、前記スペーサを前記パネルまたは前記受圧材に設けたことを特徴とする。
（９）（６）から（８）のいずれか１つに記載の擁壁構築方法において、前記受圧材に複数の排水貫通孔を設けたことを特徴とする。
（１０）（６）から（９）のいずれか１つに記載の擁壁構築方法において、前記パネルの目地に平行する排水スリットを前記受圧材に設けたことを特徴とする。
【発明の効果】
【０００７】
この発明の擁壁構築方法によれば、積み重ねる最上段のパネルの裏面の上端から下側へ少なくとも３０ｃｍ以上の領域、すなわち、凍上現象が起こり易い部分に、緩衝材を設け、パネルの裏面と緩衝材との間にスペーサを配置してパネルの裏面と緩衝材との間に隙間を設けたので、または、積み重ねる最上段のパネルの裏面の上端から下端までの領域に、緩衝材を設け、パネルの裏面と緩衝材との間にスペーサを配置してパネルの裏面と緩衝材との間に隙間を設けたので、凍上現象が起きても、隙間によって撓む緩衝材で凍上現象による圧力を吸収できることにより、パネルと支持部材との接続部分が破断するのを防止でき、パネルの凍上現象による脱落を防止することができる。
そして、充填材を充填しながら緩衝材をパネルの裏面に配置できるので、作業効率よく擁壁を構築することができる。
さらに、スペーサはパネルまたは緩衝材に設けた突出部としたので、別途スペーサを用意する必要もなく、工事費用の上昇を抑えることができる。
そして、緩衝材に複数の排水貫通孔を設けたので、排水貫通孔を介して隙間へ、さらには、隙間からパネルの目地部分の外側へ、すなわち、凍上現象が起こり易い部分の水分を凍上現象が起こり難い部分へ移動させることができる。
さらに、パネルの目地に平行する排水スリットを緩衝材に設けたので、排水スリットを介して隙間へ、さらには、パネルの目地部分の外側へ凍上現象が起こり易い部分の水分を移動させ、外側へ排出することができる。
この発明の他の擁壁構築方法によれば、積み重ねる最上段のパネルの裏面の上端から下側へ少なくとも３０ｃｍ以上の領域に、受圧材を設け、パネルの裏面と受圧材との間に、緩衝機能を有するスペーサを配置してパネルの裏面と受圧材との間に隙間を設けたので、または、積み重ねる最上段のパネルの裏面の上端から下端までの領域に、受圧材を設け、パネルの裏面と受圧材との間に、緩衝機能を有するスペーサを配置してパネルの裏面と受圧材との間に隙間を設けたので、凍上現象が起きても、隙間によって撓むスペーサで凍上現象による圧力を吸収できることにより、パネルと支持部材との接続部分が破断するのを防止でき、パネルの凍上現象による脱落を防止することができる。
そして、充填材を充填しながら受圧材をパネルの裏面に配置できるので、作業効率よく擁壁を構築することができる。
さらに、スペーサをパネルまたは受圧材に設けたので、別途スペーサを用意する必要もなく、工事費用の上昇を抑えることができる。
そして、受圧材に複数の排水貫通孔を設けたので、排水貫通孔を介して隙間へ、さらには、隙間からパネルの目地部分の外側へ、すなわち、凍上現象が起こり易い部分の水分を凍上現象が起こり難い部分へ移動させることができる。
さらに、パネルの目地に平行する排水スリットを受圧材に設けたので、排水スリットを介して隙間へ、さらには、パネルの目地部分の外側へ凍上現象が起こり易い部分の水分を移動させ、外側へ排出することができる。
【発明を実施するための最良の形態】
【０００８】
以下、この発明の実施例を図面に基づいて説明する。
【０００９】
図１はこの発明の一実施例である壁面構築方法で構築した壁面の右側側断面図、図２（ａ），（ｂ）は支持部材の部分平面図に相当する説明図、支持部材の右側部分側面図に相当する説明図、図３（ａ），（ｂ），（ｃ）は緩衝材の正面図、緩衝材の平面図、図３のＡ−Ａ線による断面図、図４は（ａ），（ｂ）は壁面パネルを積み重ねた状態における緩衝材の右側側面図に相当する説明図、壁面パネルを積み重ねた状態における緩衝材の正面図に相当する説明図である。
【００１０】
図１において、１１はコンクリートを打設して構築した基礎、２１は基礎１１の上に左右方向へ隣接させて並べるとともに上側へ積み重ねる所定形状の壁面パネル、３１は壁面パネル２１を倒れないように後方から支持する支持部材としてのストリップ、５１は壁面パネル２１の裏面に配置される裏側緩衝材、７１は積み重ねた壁面パネル２１の裏面側に充填される充填材としても背面土、８１は積み重ねた壁面パネル２１の上端から後方の背面土７１側へ所定長現場打ちされる天端コンクリート（笠木）、９１は天端コンクリート８１と背面土７１間に配置される上側緩衝材、１０１は基礎１１および下段の壁面パネル２１の前側を埋める埋め戻し材としての埋め戻し土を示す。
なお、Ｗは擁壁を示す。
【００１１】
上記した壁面パネル２１は、一定の大きさをした横長矩形状とされ、図２（ａ），（ｂ）に示すように、裏面の下側の左右と、裏面の上側の左右とに、左右方向の幅の左右の端から１／４の位置に位置させて、それぞれ防錆処理が施された金属製のコネクティブストリップ２３が設けられている。
そして、壁面パネル２１の周面には、左右に並べるとともに上側へ積み重ねたとき、互いに係合する凹部と凸部、または、凹溝と突条などの相補的係合部が設けられている。
【００１２】
上記したストリップ３１は、図２（ａ），（ｂ）に示すように、金属製の帯状部３２の上下に、左右方向へ延びた突条３３が複数設けられ、防錆処理が施されているものである。
そして、ストリップ３１は、図２（ａ），（ｂ）に示すように、防錆処理の施された締結具３５としての金属製のボルト３６、ナット３７で、一端が壁面パネル２１のコネクティブストリップ２３に締結される。
【００１３】
上記した裏側緩衝材５１は、例えば、非透水性発泡スチロールや、非透水性発泡ウレタンなどで壁面パネル２１よりも小さめの横長矩形状で、１０ｍｍ〜５０ｍｍの厚さの板状に形成されている。
そして、裏側緩衝材５１には、図３に示すように、複数の排水貫通孔５２が上下方向に複数列、例えば、３列設けられ、また、壁面パネル２１に当接する面側（前面側）に、各列の排水貫通孔５２を連通するように上端から下端まで達する毛細管現象を起こさせない、例えば、幅および深さが１ｍｍ〜１０ｍｍ、好ましくは、３ｍｍ〜１０ｍｍ、さらに好ましくは、５ｍｍ〜１０ｍｍの流路溝５３が設けられている。
なお、流路溝５３が設けられていない緩衝材５１の前面側部分（突出部）、すなわち、流路溝５３で挟まれた部分、流路溝５３で挟まれてはいないが、流路溝５３の左側または右側に流路溝５３の厚さで位置する部分が、スペーサとして機能する。
そして、流路溝５３が隙間となる。
さらに、裏側緩衝材５１には、図示は省略されているが、壁面パネル２１のコネクティブストリップ２３を挿通する挿通孔がコネクティブストリップ２３に対応させて設けられている。
【００１４】
上記した上側緩衝材９１は、例えば、非透水性発泡スチロールや、非透水性発泡ウレタンなどで所定の大きさの矩形状で、１０ｍｍ〜５０ｍｍの厚さの板状に形成されている。
【００１５】
次に、壁面パネル２１への裏側緩衝材５１の取付について説明する。
まず、壁面パネル２１を所定の方法で形成する。
そして、流通路５３が設けられた面を壁面パネル２１の裏面に対応させるとともに、壁面パネル２１の周囲から裏側緩衝材５１がはみ出さず、壁面パネル２１の外周と裏側緩衝材５１の外周との間に周回する隙間が確保できる状態で、裏側緩衝材５１を壁面パネル２１の裏面へ押し付ける。
このようにして裏側緩衝材５１を壁面パネル２１の裏面へ押し付けると、壁面パネル２１の裏面に設けられているコネクティストリップ２３が裏側緩衝材５１の挿通孔を貫通して突出することにより、図４（ａ）に示すように、壁面パネル２１の裏面に裏側緩衝材５１を取り付けることができる。
【００１６】
次に、擁壁（壁面）Ｗの構築の一例について説明する。
まず、道路などの擁壁Ｗを構築する場合、図１に示すように、コンクリートを打設して基礎１１を構築する。
そして、基礎１１の上に、上記のようにして裏面に裏側緩衝材５１を取り付けた壁面パネル２１を左右方向へ隣接させて並べるとともに、各コネクティブストリップ２３に締結具３５を使用して各ストリップ３１の一端を締結する。
このようして一端をコネクティブストリップ２３に締結した各ストリップ３１を壁面パネル２１の後側へ延ばし、各ストリップ３１の他端部分を、ストリップ３１が壁面パネル２１を所望の角度で起立させる状態にして背面土７１で固定する。
次に、壁面パネル２１に取り付けた裏側緩衝材５１と、各ストリップ３１の他端部分を固定した背面土７１との間に、背面土７１を充填し、各ストリップ３１を背面土７１で覆うとともに固定する。
このように、背面土７１で各ストリップ３１を覆うと、各突条３３が背面土７１に引っ掛かって抵抗力が発生することにより、各壁面パネル２１が所望の角度で固定される。
【００１７】
以後は、同様にして壁面パネル２１の上に壁面パネル２１を積み重ね、左右方向へ隣接させて並べるとともに、各コネクティブストリップ２３に締結具３５を使用して各ストリップ３１の一端を締結した後、各ストリップ３１の他端部分を背面土７１で固定するとともに、壁面パネル２１に取り付けた裏側緩衝材５１の裏面側に背面土７１を充填するのを繰り返すことにより、所望の高さまで壁面パネル２１を積み重ねる。
【００１８】
そして、最上段の壁面パネル２１の裏面に設けられている裏側緩衝材５１の後側に、上側緩衝材９１を隙間なく密着させて壁面パネル２１から離れる方向へ所定長、例えば、１メートル敷き詰め、望ましくは、上側緩衝材９１を相互に接着または溶着させるとともに、裏側緩衝材５１にも接着または溶着させた後、最上段の壁面パネル２１、裏側緩衝材５１および上側緩衝材９１の上に天端コンクリート８１を打設する。
次に、天端コンクリート８１の後端部分を覆うように背面土７１を盛り上げ、基礎１１および下段の壁面パネル２１の前側を埋め戻し土１０１で埋め戻すことにより、図１に示すように、擁壁Ｗを構築することができ、裏側緩衝材５１は、図４に示すように、配置され、裏側緩衝材５１同士の間には、壁面パネル２１の縦目地に連通する縦排水スリット５４、および、壁面パネル２１の横目地に連通する横排水スリット５５が形成される。
【００１９】
次に、裏面緩衝材５１の作用について説明する。
まず、凍上現象によってコネクティブストリップ２３とストリップ３１との締結部分を破断させる圧力（応力）が発生する部分の水分（水）を、裏面緩衝材５１に設けられている排水貫通孔５２、裏面緩衝材５１の間に形成される縦排水スリット５４、および、横排水スリット５５（図４参照）で壁面パネル２１と裏側緩衝材５１との間へ排出し、流量溝５３から壁面パネル２１の目地部分の外側へ、または、下側へと排出させることができる。
このようにして壁面パネル２１と裏側緩衝材５１との間を水分（水）が流れるとき、流量溝５３は毛細管現象を起こさせない幅および深さとされているので、壁面パネル２１の裏面、溝５３の内面が平滑であっても、水の表面張力によって水分が留まらず、水分は速やかに落下する。
なお、凍上現象が起きても、凍上現象による圧力（応力）を、流路溝５３を狭めるように弾性変形する裏側緩衝材５１で吸収できるので、コネクティブストリップ２３とストリップ３１との締結部分に、破断させる圧力（応力）が作用しなくなる。
【００２０】
上述したように、この発明の一実施例によれば、積み重ねる最上段の壁面パネル２１の裏面の上端から下端までの領域に、裏側緩衝材５１を設け、壁面パネル２１の裏面と裏側緩衝材５１との間にスペーサ（裏側緩衝材５１の突出部）を配置して壁面パネル２１の裏面と裏側緩衝材５１との間に流路溝５３を設けたので、凍上現象が起きても、流路溝５３によって撓む裏側緩衝材５１で凍上現象による圧力を吸収できることにより、壁面パネル２１のコネクティブストリップ２３とストリップ３１との接続部分が破断するのを防止でき、壁面パネル２１の凍上現象による脱落を防止することができる。
そして、スペーサは裏側緩衝材５１に設けた突出部としたので、別途スペーサを用意する必要もなく、工事費用の上昇を抑えることができる。
また、裏側緩衝材５１に複数の排水貫通孔５２を設けたので、排水貫通孔５２を介して流路溝５３へ、さらには、流路溝５３から壁面パネル２１の目地部分の外側へ、すなわち、凍上現象が起こり易い部分の水分を凍上現象が起こり難い部分へ移動させることができる。
さらに、壁面パネル２１の目地に平行する縦排水スリット５４、横排水スリット５５を裏側緩衝材５１の間に設けたので、縦排水スリット５４、横排水スリット５５を介して流路溝５３へ、さらには、壁面パネル２１の目地部分の外側へ凍上現象が起こり易い部分の水分を移動させ、外側へ排出することができる。
【００２１】
図５（ａ），（ｂ）はこの発明の他の実施例である壁面構築方法で使用する壁面パネルおよび裏側緩衝材の平面図、壁面パネルおよび裏側緩衝材の一部を破断した右側側面図であり、図１〜図４と同一または相当部分に同一符号を付し、その説明を省略する。
【００２２】
図５において、２２は突出部としての突出粗骨材を示し、壁面パネル２１を構成する粗骨材の一部を裏側緩衝材５１が当接する裏面に突出させ、スペーサとして機能させるものである。
なお、図示は省略されているが、壁面パネル２１にはコネクティブストリップが設けられ、裏側緩衝材５１にはコネクティブストリップを挿通する挿通孔がコネクティブストリップに対応させて設けられている。
【００２３】
この実施例の場合、挿通孔にコネクティブストリップを挿通して裏側緩衝材５１を壁面パネル２１の裏面に当接させように取り付けると、壁面パネル２１の裏面に突出粗骨材２２が突出しているので、この突出粗骨材２２によって壁面パネル２１と裏側緩衝材５１との間に隙間が形成される。
なお、この隙間の幅および深さは、毛細管現象を起こさせない、例えば、１ｍｍ〜１０ｍｍ、好ましくは、３ｍｍ〜１０ｍｍ、さらに好ましくは、５ｍｍ〜１０ｍｍであるのが望ましい。
【００２４】
図５に示す壁面パネル２１および裏側緩衝材５１を用いても、先の実施例のように擁壁を構築することができ、先の実施例と同様な効果を得ることができる。
【００２５】
図６（ａ），（ｂ）はこの発明のさらに他の実施例である壁面構築方法で使用する壁面パネルおよび裏側緩衝材の平面図、壁面パネルおよび裏側緩衝材の一部を破断した右側側面図であり、図１〜図５と同一または相当部分に同一符号を付し、その説明を省略する。
【００２６】
図６において、４１はスペーサを示し、金属製で防錆処理が施され、厚さが、壁面パネル２１の裏面と裏側緩衝材５１との間に毛細管現象を起こさせない厚さ、例えば、１ｍｍ〜１０ｍｍ、好ましくは、３ｍｍ〜１０ｍｍ、さらに好ましくは、５ｍｍ〜１０ｍｍとされ、長さがほぼ壁面パネル２１の高さ、または、壁面パネル２１の高さよりも少し短くされている。
なお、図示は省略されているが、壁面パネル２１にはコネクティブストリップが設けられ、裏側緩衝材５１にはコネクティブストリップを挿通する挿通孔がコネクティブストリップに対応させて設けられている。
【００２７】
この実施例の場合、挿通孔にコネクティブストリップを挿通して裏側緩衝材５１を壁面パネル２１の裏面に当接させように取り付けるとき、または、背面土を充填するとき、壁面パネル２１と裏側緩衝材５１との間にスペーサ４１を上下方向へ向けて配置することにより、壁面パネル２１と裏側緩衝材５１との間に隙間が形成される。
なお、スペーサ４１は、壁面パネル２１の裏面、または、裏側緩衝材５１の壁面パネル２１と対向する面に、接着剤などで固定させておいてもよい。
【００２８】
図６に示す壁面パネル２１、スペーサ４１および裏側緩衝材５１を用いても、先の実施例のように擁壁を構築することができ、先の実施例と同様な効果を得ることができる。
【００２９】
図７（ａ），（ｂ），（ｃ）はこの発明のさらに他の実施例である壁面構築方法で使用する壁面パネル、スペーサおよび裏側受圧材の平面図、壁面パネル、スペーサおよび裏側受圧材の一部を破断した右側側面図、裏側受圧材の正面図であり、図１〜図６と同一または相当部分に同一符号を付し、その説明を省略する。
【００３０】
図７において、４２は緩衝機能を有するスペーサを示し、円柱状の弾性を有するゴム製で、高さが、壁面パネル２１の裏面と、後述する裏側受圧材６１との間に毛細管現象を起こさせない高さ、例えば、１ｍｍ〜１０ｍｍ、好ましくは、３ｍｍ〜１０ｍｍ、さらに好ましくは、５ｍｍ〜１０ｍｍとされている。
６１は裏側受圧材を示し、例えば、１０ｍｍ〜５０ｍｍの厚さのプラスチック板で、壁面パネル２１よりも小さめの横長矩形状に形成されている。
そして、裏側受圧材６１には、複数の排水貫通孔６２が縦横に設けられるとともに、図示は省略されているが、壁面パネル２１のコネクティブストリップを挿通する挿通孔がコネクティブストリップに対応させて設けられている。
なお、図示は省略されているが、壁面パネル２１にはコネクティブストリップが設けられている。
そして、スペーサ４２は、図７（ｃ）に二点差線で示すように、裏側受圧材６１の所定位置に予め接着剤などで固定させておくとよい。
【００３１】
この実施例の場合、挿通孔にコネクティブストリップを挿通してスペーサ４２を壁面パネル２１の裏面に当接させように裏側受圧材６１を取り付けると、壁面パネル２１の裏面と裏側受圧材６１との間に隙間が形成される。
【００３２】
図７に示す壁面パネル２１、スペーサ４２および裏側受圧材６１を用いても、先の実施例のように擁壁を構築することができる。
そして、裏側受圧材６１同士の間には、壁面パネル２１の縦目地に連通する縦排水スリット、および、壁面パネル２１の横目地に連通する横排水スリットが形成される。
また、スペーサ４２が先の実施例における裏側緩衝材５１と同様に機能するので、凍上現象が起きても、凍上現象による圧力（応力）を、スペーサ４２が弾性変形することによって吸収できるので、コネクティブストリップとストリップとの締結部分に、破断させる圧力（応力）が作用しなくなる。
【００３３】
したがって、図７に示す壁面パネル２１、スペーサ４２および裏側受圧材６１を用いて擁壁を構築しても、先の実施例と同様な効果を得ることができる。
【００３４】
上記した図１〜図６に示した実施例では、積み重ねる最上段の壁面パネル２１の裏面の上端から下端までの領域に、裏側緩衝材５１を設け、壁面パネル２１の裏面と裏側緩衝材５１との間にスペーサ（裏側緩衝材５１の突出部、壁面パネル２１の突出部（突出粗骨材２２）、スペーサ４１）を配置して壁面パネル２１の裏面と裏側緩衝材５１との間に隙間を設けた例を示したが、積み重ねる最上段の壁面パネル２１の裏面の上端から下側へ少なくとも３０ｃｍ以上の領域、すなわち、凍上現象が起こり易い部分に、裏側緩衝材５１を設け、壁面パネル２１の裏面と裏側緩衝材５１との間にスペーサを配置して壁面パネル２１の裏面と裏側緩衝材５１との間に隙間を設けても、同様な効果を得ることができる。
また、裏側緩衝材５１を非透水性発泡スチロール、非透水性発泡ウレタンで構成した例を示したが、同様に機能するように他の材料で構成したものでもよいが、効果対経済性を考慮すると、裏側緩衝材５１を非透水性発泡スチロールで構成するのが望ましい。
さらに、裏側緩衝材５１を予め壁面パネル２１の裏面に取り付けた例を示したが、背面土７１を充填するとき、コネクティブストリップ２３を避けて壁面パネル２１の裏面に裏側緩衝材をスペーサ（裏側緩衝材の突出部、壁面パネル２１の突出部（突出粗骨材２２）、スペーサ４１）を利用して裏側緩衝材同士の間に隙間を設けないように、または、壁面パネル２１の縦目地に対応する縦排水スリット５４、横目地に対応する横排水スリット５５を設けるように配置してもよい。
このように、背面土７１を充填しながら裏側緩衝材を壁面パネル２１の裏面に配置する場合、裏側緩衝材を壁面パネル２１の裏面に配置すればよいので、作業効率よく擁壁Ｗを構築することができる。
【００３５】
上記した図７に示した実施例では、積み重ねる最上段の壁面パネル２１の裏面の上端から下端までの領域に、裏側受圧材６１を設け、壁面パネル２１の裏面と裏側受圧材６１との間にスペーサ４２を配置して壁面パネル２１の裏面と裏側受圧材６１との間に隙間を設けた例を示したが、積み重ねる最上段の壁面パネル２１の裏面の上端から下側へ少なくとも３０ｃｍ以上の領域、すなわち、凍上現象が起こり易い部分に、裏側受圧材６１を設け、壁面パネル２１の裏面と裏側受圧材６１との間にスペーサ４２を配置して壁面パネル２１の裏面と裏側受圧材６１との間に隙間を設けても、同様な効果を得ることができる。
また、裏側受圧材６１をゴムで構成した例を示したが、同様に機能する他のもの、例えば、樹脂シートの間に空気を円柱状に封入したエアークッション（またはプチプチ緩衝材）などでもよい。
さらに、裏側受圧材６１を予め壁面パネル２１の裏面に取り付けた例を示したが、背面土７１を充填するとき、コネクティブストリップ２３を避けて壁面パネル２１の裏面に裏側受圧材をスペーサを利用して裏側受圧材同士の間に隙間を設けないように、または、壁面パネル２１の縦目地に対応する縦排水スリット、横目地に対応する横排水スリットを設けるように配置してもよい。
このように、背面土７１を充填しながら裏側受圧材を壁面パネル２１の裏面に配置する場合、裏側受圧材を壁面パネル２１の裏面に配置すればよいので、作業効率よく擁壁Ｗを構築することができる。
そして、スペーサ４２を裏側受圧材６１に接着した例を示したが、スペーサを裏側受圧材に一体的に設けたり、スペーサ４２を壁面パネル２１に接着したり、スペーサを壁面パネルに一体的に設けたり、裏側受圧材６１に緩衝機能を持たせても、同様な効果を得ることができる。
【００３６】
上記した図１〜図７に示した実施例では、支持部材をストリップ３１とした例を示したが、壁面パネル２１のコネクティブストリップ２３と同じ位置に、防錆処理を施した金属製のフックを設け、このフックに装着する防錆処理を施した金属製の装着具と、壁面パネル２１から後側へ所定距離離れ、フックに対応させ、または、１つおきにフックの中間に位置させて立設させた、防錆処理を施した金属製の支柱と、この支柱に装着具を固定する防錆処理を施した金属製の固定具とで構成したものであってもよい。
また、スペーサ４１，４２（裏側緩衝材５１の突出部を含む。）、裏側緩衝材５１、裏側受圧材６１を壁面パネル２１とは別のものとして壁面パネル２１に設ける例を示したが、スペーサ（裏側緩衝材の突出部を含む。）、裏側緩衝材、裏側受圧材を壁面パネルの中に含ませ、全体として壁面パネル（パネル）としてもよい。
この場合、裏側緩衝材、裏側受圧材の大きさは、壁面パネルを左右に並べたり、壁面パネルを積み重ねた場合、互いに隙間なく密接する同じ大きさであっても、互いの間に縦目地に対応する縦排水スリット、横目地に対応する横排水スリットができる大きさであってもよい。
【図面の簡単な説明】
【００３７】
【図１】この発明の一実施例である壁面構築方法で構築した壁面の右側側断面図である。
【図２】（ａ），（ｂ）は支持部材の部分平面図に相当する説明図、支持部材の右側部分側面図に相当する説明図である。
【図３】（ａ），（ｂ），（ｃ）は緩衝材の正面図、緩衝材の平面図、図３のＡ−Ａ線による断面図である。
【図４】（ａ），（ｂ）は壁面パネルを積み重ねた状態における緩衝材の右側側面図に相当する説明図、壁面パネルを積み重ねた状態における緩衝材の正面図に相当する説明図である。
【図５】（ａ），（ｂ）はこの発明の他の実施例である壁面構築方法で使用する壁面パネルおよび裏側緩衝材の平面図、壁面パネルおよび裏側緩衝材の一部を破断した右側側面図である。
【図６】（ａ），（ｂ）はこの発明のさらに他の実施例である壁面構築方法で使用する壁面パネルおよび裏側緩衝材の平面図、壁面パネルおよび裏側緩衝材の一部を破断した右側側面図である。
【図７】（ａ），（ｂ），（ｃ）はこの発明のさらに他の実施例である壁面構築方法で使用する壁面パネル、スペーサおよび裏側受圧材の平面図、壁面パネル、スペーサおよび裏側受圧材の一部を破断した右側側面図、裏側受圧材の正面図である。
【符号の説明】
【００３８】
Ｗ        擁壁
１１      基礎
２１      壁面パネル
２２      突出粗骨材（突出部、スペーサ）
２３      コネクティブストリップ
３１      ストリップ（支持部材）
３２      帯状部
３３      突条
３５      締結具
３６      ボルト
３７      ナット
４１      スペーサ
４２      スペーサ
５１      裏側緩衝材
５２      排水貫通孔
５３      流路溝（隙間）
５４      縦排水スリット
５５      横排水水リット
６１      裏側受圧材
６２      排水貫通孔
７１      背面土（充填材）
８１      天端コンクリート（笠木）
９１      上側緩衝材
１０１    埋め戻し土（埋め戻し材）
【図１】
2006249718.tif 000003
【図２】
2006249718.tif 000004
【図３】
2006249718.tif 000005
【図４】
2006249718.tif 000006
【図５】
2006249718.tif 000007
【図６】
2006249718.tif 000008
【図７】
2006249718.tif 000009